(57)【要約】      （修正有）【課題】各食材から各々一つずつを組み合わせて選ぶ事が出来、献立作成を即座に行えるツールを提供する。【解決手段】食事をバランス良くとる為の食材選択を簡単にするものであり、、「主食」・「蛋白質」・「味付け」・「野菜」・「フルーツ」等の回転ダイヤルを持ち、それらのダイヤルからひとつずつ選ばれた食材を組み合わせて、献立作成を即座に行える。また、このダイヤルには、「味付け」ダイヤルがひとつあり、同じ主食と野菜の組み合わせであっても、味付けを例えば「みそ」・「中華」と変えることで、前回の食事と今回の食事とで、食材が一緒であっても献立の重複が避けられることを特徴とする。【選択図】図１
0003149075.tif 000002
【実用新案登録請求の範囲】
【請求項１】
回転軸と該回転軸のまわりに複数個の円筒状ダイヤルが回転自在に縦列に設けられ、更に該円筒状ダイヤルの外周面に食材を明示する複数の区画を有すると共に、前記回転軸両端部に判定部材の両端部をそれぞれ固着したことを特徴とする献立作成具。
【請求項２】
請求項１において、判定部材が紐である請求項１記載の献立作成具。
【考案の詳細な説明】
【技術分野】
【０００１】
離乳食は少量で、母親が普段、他の家族の為に作っている量と違い、感覚がつかみにくい。また、母子手帳に書かれている離乳食の説明も具体的でなく、母親はどんな離乳食を作れば良いか、混乱している現状がある。そのため、どうしても食材の偏り、同じ献立の繰り返し、といった事がおこり、育児の中の大きな悩みとなっている。
【背景技術】
【０００２】
【特許文献１】特開平７−３１４９５０号公報「献立選定用サンプルカード」において、献立を立てる時、先ず和風・洋風・中華風・その他風料理のいずれにするかを考える、ことが前提となっているが、離乳食を作るときは乳児一人のためにそこまで考えている時間的余裕がない。また、食品の写真・情報が載ったサンプルカードは、盛りつけの見栄えも気にする大人の健常人用には必要かもしれないが、離乳食などの献立作成時にはそこまでの情報量の入った複雑なものは不要である。
【特許文献２】特開２００８−９０２５２号公報「だれでもわかる表」において、摂取すべき食材と量が明確に決まり、食べたものと未だ食べていないもの、とが分かるが、未だ食べていないものの中から献立を考えるという作業は解決されていない。
【考案の開示】
【考案が解決しようとする課題】
【０００３】
乳幼児や病人用の食事において、食材とその量を記した本や参考文献や道具は世の中に出回っているが、いざ、必要なものをバランス良く献立作成することに関する解決策は、これまで提示されていない。そこで本発明では、「主食」・「蛋白質」・「野菜」・「フルーツ」等の回転ダイヤルを持ち、それらを回転軸の周りに手で回す事で、ダイヤルに記載の各食材から各々一つずつを組み合わせて選ぶ事が出来、献立作成を即座に行えるツールを提供する。
【０００４】
また、このダイヤルには、「味付け」ダイヤルがひとつあり、同じ主食と野菜の組み合わせであっても、味付けを例えば「みそ」・「中華」と変えることで、前回の食事と次回の食事とで、食材が一緒であっても献立の重複が避けられることを特徴とする。
【課題を解決するための手段】
【０００５】
回転軸と該回転軸のまわりに複数個の円筒状ダイヤルが回転自在に縦列に設けられ、更に該円筒状ダイヤルの外周面に食材を明示する複数の区画を有すると共に、前記回転軸両端部に判定部材の両端部をそれぞれ固着したことを特徴とする献立作成具。
【０００６】
この献立作成具は、紐を判定部材に持つ。
【考案の効果】
【０００７】
母親にとって初めての子供であるなど、育児に慣れない母親が初めて我が子に料理を食べてもらうために、非常に頭を悩ますのが離乳食の作成であるが、このツールを使えば、「何を作ろう」・「同じ物ばかりになってしまう」という母親の悩みを軽減し、バランス良くバラエティに富んだ離乳食を作る事が出来る。また、食材の蓄えの有無により、ダイヤルを回して得られた献立が作成できない場合でも、手持ちの食材が出てくるまで該当カテゴリーのダイヤルを再度回せば、すぐに献立を再作成できる。
【考案を実施するための最良の形態】
【０００８】
ダイヤルに記載の食材は、季節に応じた旬のものに入れ替えると、なお良い。なお、この献立作成棒の準備に加えて、お粥・肉類・魚類・野菜類は１回分ずつ月齢に合わせた量を予め冷凍しておくと、すぐに調理が開始できる。
【実施例】
【０００９】
図１において、回転軸２、円筒状ダイヤル３、３１〜３６、判定部材４、であり、円筒状ダイヤル３は更に図２に示すとおり円筒５と食材ラベル６から構成される。食材ラベル６は、幅が円筒状ダイヤル３と同一あるいは若干細く、長さは円筒状ダイヤル３の円周長となっている縦長の短冊形状であり、周方向に５個から１０個の食材を記入しておく。円筒状ダイヤル３は、「主食」・「蛋白質」・「蛋白質」・「味付け」・「野菜」・「野菜」・「フルーツ」の７個であり、お互いに回転が自由であり、また重なり合わないよう、同一直径の円筒形状である。ダイヤル同士が片方の端に寄って、回転しにくくなるのを防ぐために、必要に応じ、ダイヤルを区切る紐を設けてもよい。判定部材４は、回転軸２に円筒状ダイヤル３をすべて通した後、回転軸２の端から端まで円筒状ダイヤル３，３１〜３６の表面をピンと一直線状に張るように回転軸２両端に固定する。
【００１０】
当ツールは、太さの異なる紙筒一組とビニール紐と紙と粘着テープ、あるいは糊があれば、容易に作成でき、加工の道具も特別な工具を必要としないことを特徴とする。紙筒は、細い方（回転軸２用）が直径約３ｃｍほど、太い方（円筒状ダイヤル３）が直径約４ｃｍほどが適度である。太い方の紙筒は、細い方と同じ長さのものを８等分し、そのうち７個使用すると軸方向にダイヤル同士の隙間が確保できる為、丁度良い。
【００１１】
主食用ダイヤル３１〜３６のうち、「主食」には、おかゆ、パン、うどん（５０→１１０ｇ：乾うどん５０ｇを茹でると１１０ｇになる、という意味、以下同）、きしめん、スパゲティ、マカロニ（４０→９０ｇ）、小麦、などが入る。
【００１２】
副食用ダイヤル３１〜３６のうち、「蛋白質」には、ゆで卵、とき卵、豆腐、納豆、水煮大豆、とり挽肉、ブタ挽肉、鮭、鱈、鯛、しらす、牛乳、チーズ、ヨーグルト、などが入る。又、鱈、鯛のように、似た食材は、ダイヤル上の食材１コマの中にまとめて記入すると、たくさんの食材を書き込むことが出来る。
【００１３】
味付け用ダイヤル３１〜３６のうち、「味付け」には、かつお節、野菜スープ、ミルク、トマト風、中華、みそ、ごま、きな粉、しょうゆ（つゆの素）、マヨネーズ、ケチャップ、などが入る。
【００１４】
副食用ダイヤル３１〜３６のうち、「野菜」には、例えば冬野菜であれば、ほうれん草、小松菜、白菜、キャベツ、大根、カブ、葉大根、葉カブ、人参、さつまいも、じゃがいも、かぼちゃ、里いも、長いも、いんげん、ブロッコリー、トマト、などが入る。又、葉大根、葉カブのように、似た食材は、ダイヤル上の食材１コマの中にまとめて記入すると、たくさんの食材を書き込むことが出来る（ほうれん草と小松菜、大根とカブなど）。
【００１５】
副食用ダイヤル３１〜３６のうち、「フルーツ」には、バナナ、りんご、みかん、オレンジ、いちご、ぶどう、キウイ、もも、すいか、柿、などが入る。
【００１６】
献立作成例１）、  「主食」うどん  /  「蛋白質」鱈・とき卵  /  「味付け」みそ  /  「野菜」大根・さつまいも  /  「フルーツ」みかん、とダイヤルで選定できた場合、一人鍋にうどんと鱈と大根を入れ、みそで味付けし、とき卵を回し入れ、皿に盛る。さつまいもとみかんは別のお皿に盛りつけて出来上がり、となる。
【００１７】
献立作成例２）、  「主食」スパゲティ  /  「蛋白質」大豆水煮・とり挽肉  /  「味付け」野菜スープ  /  「野菜」人参・ブロッコリー  /  「フルーツ」バナナ、とダイヤルで選定できた場合、一人鍋に大豆水煮ととり挽肉と野菜スープと人参を入れてゆでる。月齢が大きければコンソメで味つけする。予めゆででおいたスパゲティを皿に盛り、鍋で煮たものをかける。ブロッコリーとバナナは別のお皿に盛りつけて出来上がり、となる。
【産業上の利用可能性】
【００１８】
例えば、食事を作って与える対象が乳児でなく、糖尿病患者の場合、献立作成棒の各ダイヤルに記入する食材と量（グラム数）を、医者等から別途指示される「糖尿病食」にあわせておく。すると、上記実施例と同様に、簡単に食材の偏りなく、かつ同じ献立の繰り返しなく、食事を作って提供できる。同様に、腎臓病等の食事療法が必要な者に対する治療食の献立作成にも応用が出来る。
【００１９】
この献立作成棒において、炒め、揚げ、蒸し、和え、焼きなどを記入した「調理」のダイヤルを追加すると大人向けの通常食の献立作成ツールとなる。
【００２０】
同様にダイヤルの内容を変更することで、お弁当作成用の献立作成棒にもできる。
【００２１】
同様にダイヤルの内容を変更することで、主菜以外の野菜を積極的に摂取するための食事メニュー作成のツールとして使える。
【００２２】
このように、ダイヤルに巻き付ける食材ラベルを変更するだけで、このツールは様々な特定食を必要とする人の為の献立作成具となる。
【図面の簡単な説明】
【００２３】
【図１】本考案の献立作成具の斜視図
【図２】円筒状ダイヤル３の分解図
【符号の説明】
【００２４】
１  献立作成具
２  回転軸
３  円筒状ダイヤル（主食用）
３１〜３６  円筒状ダイヤル（副食用、味付け用）
４  判定部材
５  円筒
６  食材ラベル
【図１】
0003149075.tif 000003
【図２】
0003149075.tif 000004